(57)【要約】【課題】設備に対する検索サービスを充実させることのできる情報処理装置及び情報処理方法を提供する。【解決手段】情報処理サーバから地図を描画するための地図描画データを受信すると共に、地図描画データ２１１に基づいて地図を表示部に表示させる地図描画部１６２と、地図描画データ２１１を対象に、設備を検索する描画データ検索部１６９と、地図描画データに対する検索結果を表示部に表示させる検索ＧＵＩ表示部１６３とを備える。【選択図】図４
2015179216.tif 000002
【特許請求の範囲】
【請求項１】
サーバから地図を描画するための描画データを受信する受信手段と、
前記描画データに基づいて地図を表示装置に表示させる第１の表示制御手段と、
前記描画データを対象に、設備を検索する検索手段と、
前記描画データに対する検索結果を前記表示装置に表示させる第２の表示制御手段と
を備える情報処理システム。
【請求項２】
前記描画データは、前記地図上に設備の画像を表示するための描画情報と、当該設備の座標情報と、前記地図上に当該設備に関する文字列を表示するための注記情報とを少なくとも含み、
前記検索手段は前記注記情報を対象に設備を検索する、
請求項１記載の情報処理システム。
【請求項３】
前記検索手段は、前記サーバの管理する施設情報を検索する手段と、前記描画データを対象に検索する手段とを含む、
請求項１又は請求項２記載の情報処理システム。
【請求項４】
前記検索手段は、施設情報に対する検索の結果、検索対象の設備が見つからなかった場合に、前記描画データを対象に検索する、
請求項３記載の情報処理システム。
【請求項５】
前記第２の表示制御手段は、現在位置から一定範囲内にある検索結果の設備を前記表示装置に表示させる、
請求項１乃至請求項４のいずれか１項記載の情報処理システム。
【請求項６】
サーバから地図を描画するための描画データを受信するステップと、
前記描画データに基づいて地図を表示装置に表示させるステップと、
前記描画データを対象に、設備を検索するステップと、
前記描画データに対する検索結果を前記表示装置に表示させるステップと
を情報処理システムが行う情報処理方法。
【発明の詳細な説明】
【技術分野】
【０００１】
本発明に係るいくつかの態様は、情報処理装置、及び情報処理方法に関する。
【背景技術】
【０００２】
近年、例えば携帯電話の表示画面上で地図などを表示するサービスが広く普及しつつある。このような地図表示サービスにおいては、検索機能を備えるものも多い。例えば特許文献１は、建造物の形状を表示するとともに、建造物に関する情報や周囲の情報に対する検索を可能とする情報案内装置を開示している。
【先行技術文献】
【特許文献】
【０００３】
【特許文献１】特開平９−１５２８３０号公報
【発明の概要】
【発明が解決しようとする課題】
【０００４】
しかしながら、特許文献１記載の装置は、トイレや階段、エレベーター等の細かい設備を含む様々なＰＯＩに対する検索環境の充実については考慮されていない。
【０００５】
本発明のいくつかの態様は前述の課題に鑑みてなされたものであり、設備に対する検索サービスを充実させることのできる情報処理装置及び情報処理方法を提供することを目的の１つとする。
【課題を解決するための手段】
【０００６】
本発明に係る情報処理装置は、サーバから地図を描画するための描画データを受信する受信手段と、前記描画データに基づいて地図を表示装置に表示させる第１の表示制御手段と、前記描画データを対象に、設備を検索する検索手段と、前記描画データに対する検索結果を前記表示装置に表示させる第２の表示制御手段とを備える。
【０００７】
本発明に係る情報処理方法は、サーバから地図を描画するための描画データを受信するステップと、前記描画データに基づいて地図を表示装置に表示させるステップと、前記描画データを対象に、設備を検索するステップと、前記描画データに対する検索結果を前記表示装置に表示させるステップとを情報処理システムが行う。
【０００８】
尚、本発明において、「部」や「手段」、「装置」、「システム」とは、単に物理的手段を意味するものではなく、その「部」や「手段」、「装置」、「システム」が有する機能をソフトウェアによって実現する場合も含む。また、１つの「部」や「手段」、「装置」、「システム」が有する機能が２つ以上の物理的手段や装置により実現されても、２つ以上の「部」や「手段」、「装置」、「システム」の機能が１つの物理的手段や装置により実現されても良い。
【発明の効果】
【０００９】
本発明によれば、設備に対する検索サービスを充実させることのできる情報処理装置及び情報処理方法を提供することができる。
【図面の簡単な説明】
【００１０】
【図１】本発明の実施形態における携帯端末を含む通信システムの構成を示す図である。
【図２】図１に示した携帯端末が表示する表示画面の具体例を示す図である。
【図３】図１に示した通信システムのハードウェア構成の具体例を示す機能ブロック図である。
【図４】図１に示した携帯端末のソフトウェアの機能構成の具体例を示す機能ブロック図である。
【図５】地図描画データの具体例を説明するための図である。
【図６】施設情報の具体例を説明するための図である。
【図７】図１に示した携帯端末の処理の流れを説明するためのフローチャートである。
【発明を実施するための形態】
【００１１】
以下に本発明の実施形態を説明する。以下の説明及び参照する図面の記載において、同一又は類似の構成には、それぞれ同一又は類似の符号が付されている。
【００１２】
（実施形態）
図１乃至図７は、実施形態を説明するための図である。以下、これらの図を参照しながら、以下の流れに沿って実施形態を説明する。まず「１」で実施形態全体の概要を説明する。その上で「２」でシステム構成を、ハードウェア及びソフトウェア構成の具体例を示しながら説明する。「３」では、処理の流れを説明する。「４」以下では、本実施形態に係る効果などを説明する。
【００１３】
（１  概要）
図１は、情報処理装置である携帯端末１００を含む通信システム１の概略構成を示す図である。図１に示すように、通信システム１は、携帯端末１００（携帯端末１００Ａ乃至１００Ｅを総称して携帯端末１００という。）、情報処理サーバ２００、及び基地局３００を含む。情報処理サーバ２００及び基地局３００は、それぞれ公衆網Ｎに接続されている。公衆網Ｎは、携帯端末１００及び情報処理サーバ２００が相互に通信できれば、どのような方式のネットワークでも良い。公衆網Ｎの具体例としては、例えばインターネットのほか、携帯電話網であることが考えられる。
【００１４】
なお、携帯端末１００は、例えば携帯電話（いわゆるフィーチャーフォンであるかスマートフォンであるかは問わない。）やタブレット型の情報端末、或いはノートＰＣ（Ｐｅｒｓｏｎａｌ  Ｃｏｍｐｕｔｅｒ）等の、可搬型の情報処理端末である。
【００１５】
ここで、本実施形態に係る通信システム１では、携帯端末１００が情報処理サーバ２００から地図描画データ２１１をダウンロードした上で、当該地図描画データ２１１に基づいて地図を表示装置（ディスプレイ）上に表示する機能を有する。当該地図描画データ２１１には、地図に各種描画を行うための座標情報、ポリゴンデータ等と共に、設備名等が含まれる注記データや階層情報、設備の大まかな種別を示すレイヤーＩＤ等の情報を含むことができる。詳細については図５を参照しながら後述する。携帯端末１００はこれらの地図描画データ２１１に基づいて地図画像を作成した上で、表示装置上に地図を表示する。
【００１６】
また、本実施形態に係る情報処理サーバ２００は、施設情報２１３を管理する。当該施設情報には、様々な施設に関する施設名称や座標、住所、ジャンル等の情報が含まれる。携帯端末１００が情報処理サーバ２００に対して検索を要求すると、情報処理サーバ２００は当該施設情報２１３を検索し、その結果を携帯端末１００に返信する。このような機能により、情報処理サーバ２００は携帯端末１００に施設検索サービスを提供する。例えば、ユーザが携帯端末１００に施設名称の一部となる文字列などを入力すると、当該文字列に合致する施設情報２１３を情報処理サーバ２００が検索し、当該検索結果を携帯端末１００へ送信することで、ユーザは携帯端末１００上に入力した文字列に合致する施設の一覧などを確認することが可能となる。
【００１７】
しかしながら、施設情報２１３には、ビルや店舗、公園、遊園地や動物園といったある程度大きな単位で且つユニーク性の高い施設（ＰＯＩ：Ｐｏｉｎｔ  ｏｆ  Ｉｎｔｅｒｅｓｔ）に関する情報は含まれるものの、トイレやＡＥＤ（Ａｕｔｏｍａｔｅｄ  Ｅｘｔｅｒｎａｌ  Ｄｅｆｉｂｒｉｌｌａｔｏｒ）、駅事務局などといった設備（ＰＯＩ）に関しては、極めて数が多いため、施設情報２１３として管理することは困難である。つまり、施設情報２１３にトイレ等の情報は殆ど含まれていないため、当該施設情報２１３に対する検索機能では、トイレやＡＥＤ、駅事務局等の情報を知ることは難しい。
【００１８】
しかしながら、トイレやＡＥＤ等の情報も、地図上には描画されることが多いため、地図描画データ２１１には含まれることが多い。そこで本実施形態に係る携帯端末１００では、通常地図の表示に使用する地図描画データ２１１に対するＰＯＩの検索を行うことで、このような細かいＰＯＩの検索機能を提供する。
【００１９】
図２に、携帯端末１００でトイレや駅事務局等に対する検索機能を行う場合の表示画面の具体例を示す。図２の例では、表示画面２１上に表示されるダイアログボックス２１Ａで「出入り口」「忘れ物預り所」「駅事務所」「トイレ」等の設備に係るボタンを選択すると、携帯端末１００は選択された設備に関する検索を、地図描画データ２１１を対象に行う。携帯端末１００は検索の結果見つかった施設の位置等の情報を、表示画面２３上で吹出し型のアイコン２３Ａとして表示している。これにより、ユーザは例えば一番近くにあるトイレや出入り口等の位置を簡単に知ることが可能となる。
【００２０】
（２  システム構成）
以下、図３を参照しながら、本実施形態に係る通信システム１の機能構成を説明する。図３は、本実施形態に係る通信システム１の機能構成を示す図である。前述のとおり、本実施形態に係る通信システム１は、携帯端末１００及び情報処理サーバ２００を含む。以下、これらの構成について説明する。なお、図３において、基地局３００は記載を省略している。
【００２１】
（２．１  携帯端末１００）
まず、携帯端末１００の構成を説明する。携帯端末１００は、図３に示すように、主制御部１１０、無線通信部１２０、入力部１３０、表示部１４０、及びセンサ１５０を含む。
【００２２】
主制御部１１０は、携帯端末１００における各種処理を制御し、ＣＰＵ１１１及びメモリ１１３（揮発性メモリ及び不揮発性メモリを含む。）を含む。主制御部１１０では、メモリ１１３の記憶領域に地図表示アプリケーションを含む各種アプリケーションなどのプログラムを格納したり、ＣＰＵ２２１が当該アプリケーション等のプログラムを実行したりすることにより、携帯端末１００が有する各種機能を実現することができる。主制御部１１０で実行可能なソフトウェアの機能構成に関しては、図４を参照しながら後述する。
【００２３】
無線通信部１２０は、公衆網Ｎを介して他の情報処理装置との間でデータを送受信することができる。情報処理サーバ２００への施設情報２１３の検索要求や、情報処理サーバ２００からの地図描画データ２１１の受信などは、無線通信部１２０は、主制御部１１０による制御のもとで実行する。
【００２４】
入力部１３０は、携帯端末１００に対するユーザからの入力を受け付ける装置であり、入力キーやタッチパネル等を含む。なお、入力部１３０は、ユーザからの音声を受け付けて入力情報として主制御部１１０へ出力する機能を有してもよい。表示部２４０は、図２に具体例を示した表示画面２１及び２３等により各種情報を表示してユーザに提示するための、例えばディスプレイ装置である。表示部２４０は、例えば液晶ディスプレイであっても良いし、有機ＥＬであっても良い。
【００２５】
センサ１５０は、携帯端末１００のユーザの移動状態に応じて変化する検出信号を出力し、例えば、加速度センサ１５１やＧＰＳ受信機１５３を含む。具体的には、センサ１５０から出力される検出信号には、加速度センサ１５１から出力される加速度を示す加速度情報や、ＧＰＳ受信機１５３から出力される携帯端末１００の現在位置を示す位置情報が含まれる。なお、位置情報には、高度に係る情報を含んでも良い。
【００２６】
次に、図４を参照しながら、携帯端末１００で実行されるソフトウェアの機能構成について説明する。図４は、携帯端末１００で実行されるソフトウェアの機能構成を示す図である。
本実施形態に係る携帯端末１００のソフトウェアは、大きく分けて、表示制御部１６１と操作入力部１６５と検索部１６７とを含む。
【００２７】
表示制御部１６１は、携帯端末１００の表示部１４０に表示される表示画面に係る表示制御を行う。表示制御部１６１は、地図描画部１６２及び検索ＧＵＩ表示部１６３を含む。
地図描画部１６２は、情報処理サーバ２００から受信した地図描画データ２１１に基づいて地図を生成し、当該地図を表示部１４０に地図を表示させる。
【００２８】
検索ＧＵＩ表示部１６３は、例えば図２で具体例を示した表示画面２１及び２３等を生成し、当該表示画面を表示部１４０に表示させる。より具体的には、検索すべき設備等を指定する表示画面（図２の具体例に係る表示画面２１に相当）や、検索結果を示す表示画面（（図２の具体例に係る表示画面２３に相当）を、検索ＧＵＩ表示部１６３は表示部１４０に表示させる。
操作入力部１６５は、入力部１３０から入力されたユーザからの操作信号を、各種ソフトウェアの機能に対して伝達する。
【００２９】
検索部１６７は、操作入力部１６５から入力されたユーザ操作に基づいて、ＰＯＩに対する検索処理を行う。検索部１６７は、施設情報検索部１６８及び描画データ検索部１６９を含む。
施設情報検索部１６８は、情報処理サーバ２００に対し、施設情報２１３を対象とする検索を要求する。
【００３０】
描画データ検索部１６９は、地図描画データ２１１を対象とする検索を行う。ここで描画データ検索部１６９による地図描画データ２１１を対象とする検索の実現手法は、種々考えることができる。例えば、描画データ検索部１６９が情報処理サーバ２００に対して、ＤＢ２１０内の地図描画データ２１１を対象とした検索を要求することにより実現することが考えられる。若しくは、地図描画部１６２が地図描画のために情報処理サーバ２００からダウンロードし、メモリ１１３に記憶されている地図描画データ２１１を対象に、描画データ検索部１６９が検索しても良い。
【００３１】
本実施形態では、地図描画部１６２が地図描画のために情報処理サーバ２００から取得し、メモリ１１３に記憶されている地図描画データ２１１を対象に描画データ検索部１６９が検索を行う場合を中心に説明する。
【００３２】
（２．２  情報処理サーバ２００）
情報処理サーバ２００は、前述のとおり、携帯端末１００からの要求に応じて地図描画データ２１１を送信するとともに、施設情報２１３に対する検索サービスを提供する機能を持つ情報処理装置である。情報処理サーバ２００は、制御部２２０、通信部２３０、及びデータベース（ＤＢ）２１０を含む。なお、情報処理サーバ２００の機能は、２以上の情報処理装置（サーバも含む）を組み合わせたシステムとして実現することも可能である。
【００３３】
制御部２２０は、演算装置であるＣＰＵ（Ｃｅｎｔｒａｌ  Ｐｒｏｃｅｓｓｉｎｇ  Ｕｎｉｔ）２２１及びメモリ２２３を含む。制御部２２０では、メモリ２２３に記憶されたプログラム（ソフトウェア）を格納し、ＣＰＵ２２１上で当該プログラムを実行することにより、情報処理サーバ２００における各種処理を制御する。制御部２２０は、例えば、通信部２３０で受信した携帯端末１００からの施設検索要求に応じて施設情報２１３を検索したり、或いは携帯端末１００からの要求に応じて、要求された位置及び縮尺の地図に係る地図描画データ２１１を当該携帯端末１００へ送信したりする機能を制御する。
【００３４】
通信部２３０は、携帯端末１００と通信するための通信インタフェースである。通信部２３０は、例えば、携帯端末１００からの地図描画データ２１１の取得要求や、施設情報２１３の検索要求を受信する。また、通信部２３０は、要求された地図描画データ２１１の携帯端末１００への送信や、施設情報２１３に対する検索の検索結果の携帯端末１００への送信も行う。
ＤＢ２１０は、例えば記憶装置上に構成される情報管理モジュールであり、地図描画データ２１１及び施設情報２１３を管理する。
【００３５】
図５に、地図描画データ２１１の構成例を示す。図５に示すように、本実施形態に係る地図描画データ２１１は、緯度経度情報（座標情報）２１１ａ、ポリゴンデータ２１１ｂ、図種情報２１１ｃ、階層情報２１１ｄ、レイヤーＩＤ２１１ｅ、注記データ２１１ｆ、企業アイコン２１１ｇを含む。このような情報は、地図上に描画される各種ＰＯＩごとに用意されるが、各ＰＯＩはこれらの情報を全て含む必要はない。
【００３６】
緯度経度情報２１１ａは、地図描画データ２１１が対象とするＰＯＩの位置（座標）を示す情報である。携帯端末１００が地図を描画する際には、当該緯度経度情報２１１ａに基づいて対象ＰＯＩの配置位置が決定される。
【００３７】
ポリゴンデータ２１１ｂは、地図上に描画されるＰＯＩの形状等に関する情報である。携帯端末１００が地図を描画する際には、当該ポリゴンデータ２１１ｂを用いて対象ＰＯＩの形状を描画する。
【００３８】
図種情報２１１ｃは、どの縮尺の地図データ（どの図種の地図データ）で描画するかを示す情報である。大きさの小さいＰＯＩは縮尺の小さい地図では表示されないが、図種情報２１１ｃは、対象ＰＯＩをどの縮尺以上で表示するかを定めるためのものである。
【００３９】
階層情報２１１ｄは、対象ＰＯＩの階層を示すものである。より具体的には、階層情報２１１ｄは、地下１階の地図に表示させるＰＯＩであるか、地上１階の地図に表示させるＰＯＩであるか、等の情報を示すためのものである。地図描画データ２１１の階層情報２１１ｄを指定した検索を行えば、例えば地下１階のＰＯＩのみを対象に検索する等の、階層を指定した検索が可能となる。
【００４０】
レイヤーＩＤ２１１ｅは、各ＰＯＩのジャンルなどを示す情報である。例えば、レイヤーＩＤを指定することにより、トイレや飲食店などのジャンルを指定することが可能となる。すなわち、地図描画データ２１１のレイヤーＩＤ２１１ｅを対象に検索を行えば、トイレや飲食店等の各ジャンルに属するＰＯＩを網羅的に抽出することができる。
【００４１】
注記データ２１１ｆは、例えばＰＯＩの名称などの、地図上に表示される文字列に関する情報である。例えば「Ａ３出入り口」や「男性用トイレ」、「○×駅案内所」等の文字列を注記データ２１１ｆに含むことができる。地図描画データ２１１の注記データ２１１ｆを対象に検索すれば、「トイレ」や「駅案内所」等の注記が含まれるＰＯＩを網羅的に抽出することが可能となる。
【００４２】
企業アイコン２１１ｇは、例えばトイレ、階段、エレベーター、コンビニエンスストアやガソリンスタンド等の各種設備や企業のアイコンに相当する。地図描画データ２１１の企業アイコン２１１ｇを対象に検索すれば、各アイコンに該当するＰＯＩを網羅的に抽出することが可能となる。
【００４３】
続いて、施設情報２１３について説明する。施設情報２１３は、店舗や公園、ビル等、比較的ユニーク性の高い施設に関する情報を管理するためのものである。施設情報２１３は検索が行い易くするために、例えばＳＱＬデータベースとして構築することができる。
【００４４】
図６は、施設情報２１３の具体例を示す図である。図６に示すように、施設情報２１３は、施設ＩＤや施設座標、名称、住所、施設ジャンル等の情報を含むことができる。
【００４５】
（３  処理の流れ）
以下、図７を参照しながら、携帯端末１００による処理の流れを説明する。図７は、ＰＯＩに係る検索を携帯端末１００が行う際の処理の流れを示すフローチャートである。
【００４６】
尚、後述の各処理ステップは、処理内容に矛盾を生じない範囲で、任意に順番を変更して若しくは並列に実行することができ、また、各処理ステップ間に他のステップを追加しても良い。更に、便宜上１つのステップとして記載されているステップは複数のステップに分けて実行することもでき、便宜上複数に分けて記載されているステップを１ステップとして実行することもできる。
【００４７】
操作入力部１６５がＰＯＩに関する検索要求に係るユーザ操作を受けると（Ｓ７０１）、施設情報検索部１６８は、施設情報２１３を検索するための検索キーを設定する（Ｓ７０３）。この時、例えば図２に具体例を示したダイアログボックス２１Ａ上で「トイレ」「出入り口」等の各種ＰＯＩが選択された場合には、当該種別に応じた「トイレ」や「出入り口」等の文字列を含む施設情報２１３を取得するための検索キーを、施設情報検索部１６８は生成することができる。この時、施設情報検索部１６８は、別途センサ１５０から取得した現在位置（緯度経度などで指定することができる）から、予め定められた範囲内のＰＯＩに係る検索を行うべく、検索キーを設定しても良い。
【００４８】
施設情報検索部１６８は、Ｓ７０３で生成した検索キーを用いた検索処理を行う（Ｓ７０５）。より具体的には、施設情報検索部１６８は、生成した検索キーを情報処理サーバ２００へ送信し、情報処理サーバ２００から、当該検索キーで施設情報２１３を検索した検索結果を受信する。その結果、該当するＰＯＩが見つかった場合には（Ｓ７０７のＹｅｓ）、検索ＧＵＩ表示部１６３は検索結果を表示部１４０に表示させる（Ｓ７１３）。検索結果の表示方法としては、例えば図２の表示画面２３に具体例を示したように、地図描画部１６２が生成した地図上に、検索の結果見つかったＰＯＩの位置を示すアイコン２３Ａを表示する方法などが考えられる。
【００４９】
施設情報２１３を検索しても適当なＰＯＩが見つからなかった場合には(Ｓ７０７のＮｏ)、描画データ検索部１６９は地図描画データ２１１に対する検索を行うための検索キーを設定する（Ｓ７０９）。この時、検索キーに設定可能なパラメータは種々考えられるが、例えば、検索範囲の中心となる緯度経度情報（例えば、センサ１５０から取得できる携帯端末１００の位置情報を使用することができる。）並びに当該中心からの検索範囲を示す検索距離（例えば、半径２００ｍ程度の、予め定められた固定値を使用することができる。）を検索キーに含むことができる。また、どの縮尺（図種）で表示される地図描画データ２１１を使用するか（地図描画データ２１１が地図を表示している場合には、表示にかかる縮尺の図種を使用してもよいし、或いは予め定められた図種としてもよい）、階層（携帯端末１００が屋内にいる場合、携帯端末１００が存在すると考えられる階層（地下１階、地上１階等）、）等を検索キーに含むこともできる。また、トイレや飲食店などのジャンルを示すレイヤーＩＤ（ユーザから指定された「トイレ」「出入り口」等のＰＯＩのジャンルに応じて指定することができる）、検索キーワード（検索したいＰＯＩの注記データとして含まれる名称文字列の少なくとも一部など）をも検索キーに含むことができる。
【００５０】
より具体例を挙げて説明すると、例えばユーザが表示画面２１において「トイレ」を対象に検索すべく、ボタンを選択した場合には、描画データ検索部１６９は、自装置の位置（緯度経度）を中心に、例えば半径２００ｍ等の予め定められた範囲のＰＯＩを抽出すべく、検索キーを設定することができる。この時、携帯端末１００が建物内の地上１階にいると判断できる場合には、階層を地上１階として設定するようにしても良い。また、「トイレ」のレイヤーＩＤを検索キーに設定することができる。加えて、注記データ中に「トイレ」の文字列を含むＰＯＩを抽出すべく、検索キーに設定することもできる。
【００５１】
描画データ検索部１６９は、このようにして生成した検索キーを用いて、例えばメモリ１１３に記憶された地図描画データ２１１に対する検索を行う（Ｓ７１１）。これにより描画データ検索部１６９は、例えば携帯端末１００の位置から２００ｍ以内且つ同じ階層にある、注記データに「トイレ」の文字列を含むか、或いはトイレに関するレイヤーＩＤが設定されたＰＯＩを、網羅的に抽出することができる。
【００５２】
描画データ検索部１６９が行った検索結果は、検索ＧＵＩ表示部１６３が表示部１４０に表示させる（Ｓ７１３）。上述の通り、検索結果の表示方法としては、例えば図２の表示画面２３に具体例を示したように、地図描画部１６２が生成した地図上に、検索の結果見つかったＰＯＩの位置を示すアイコン２３Ａを表示する方法などが考えられる。
【００５３】
なお、図７の処理の流れではまず施設情報２１３を検索した後、地図描画データ２１１を検索するようになっているが、これに限られるものではなく、例えばトイレや駅事務局、出入り口といった設備（ＰＯＩ）に関しては、施設情報２１３を検索することなく、地図描画データ２１１を検索するようにしても良い。
【００５４】
（４  本実施形態の効果）
以上説明したように、本実施形態に係る通信システム１は、地図を描画するために用意される地図描画データ２１１を用いて、ＰＯＩに対する検索サービスを提供する。これにより、トイレや出入り口といった、数が多く（ユニーク性が低く）、且つ施設情報２１３で管理されることの少ない設備（ＰＯＩ）に関しても、好適にユーザに情報を提供することができる。すなわち、本実施形態に係る通信システム１は、設備に対する検索サービスを充実させることができる。
【００５５】
（５  付記事項）
尚、前述の各実施形態の構成は、組み合わせたり或いは一部の構成部分を入れ替えたりしてもよい。また、本発明の構成は前述の実施形態のみに限定されるものではなく、本発明の要旨を逸脱しない範囲内において種々変更を加えてもよい。
【符号の説明】
【００５６】
１・・・通信システム、２１・・・表示画面、２１Ａ・・・ダイアログボックス、２３・・・表示画面、２３Ａ・・・アイコン、１００・・・携帯端末、１１０・・・主制御部、１１１・・・ＣＰＵ、１１３・・・メモリ、１２０・・・無線通信部、１３０・・・入力部、１４０・・・表示部、１５０・・・センサ、１５１・・・加速度センサ、１５３・・・ＧＰＳ受信機、１６１・・・表示制御部、１６２・・・地図描画部、１６３・・・検索ＧＵＩ表示部、１６５・・・操作入力部、１６７・・・検索部、１６８・・・施設情報検索部、１６９・・・描画データ検索部、２００・・・情報処理サーバ、２１１・・・地図描画データ、２１１ａ・・・緯度経度情報、２１１ｂ・・・ポリゴンデータ、２１１ｃ・・・図種情報、２１１ｄ・・・階層情報、２１１ｅ・・・レイヤーＩＤ、２１１ｆ・・・注記データ、２１１ｇ・・・企業アイコン、２１３・・・施設情報、２２０・・・制御部、２２１・・・ＣＰＵ、２２３・・・メモリ、２３０・・・通信部、２４０・・・表示部、３００・・・基地局、Ｎ・・・公衆網
【図１】
2015179216.tif 000003
【図２】
2015179216.tif 000004
【図３】
2015179216.tif 000005
【図４】
2015179216.tif 000006
【図５】
2015179216.tif 000007
【図６】
2015179216.tif 000008
【図７】
2015179216.tif 000009